(57)【特許請求の範囲】
【請求項１】
吹出枠の吹出口付近に、互いにギアを介して連動する複数の風向変更板を配置するとともに、これら複数の風向変更板の奥側に位置して一つの補助風向変更板を配置する構成とし、
前記複数の風向変更板を駆動する第１モータを前記吹出枠の側方に配置し、前記補助風向変更板を駆動するための第２モータを、前記第１モータの側方に並べて設け、前記補助風向板の軸と前記第２モータの軸とをそれらの軸とは別の駆動軸を介してつなげたことを特徴とする空気調和機。
【発明の詳細な説明】
【０００１】
【産業上の利用分野】
この発明は、互いにギアを介して連動する複数の風向変更板と、これら複数の風向変更板の奥側に位置する補助風向板とをそれぞれ別のモータで駆動するようにした空気調和機に関する。
【０００２】
【従来の技術】
この種の空気調和機は、例えば、特開平５ー１３３５４１号公報に記載されたものがある。この公報には、吹出枠に複数の風向変更板を備えた空気調和機が示されており、一般的にこのような空気調和機では、上下方向の風向を変えるための風向変更板の軸とモータの軸とを直接つなぎ、モータで風向変更板を回動させることができるように構成されている。
【０００３】
【発明が解決しようとする課題】
前述した空気調和機では、複数の風向変更板を、互いにギアを介して連動させるようにすれば、一つのモータで良い。しかし、互いに連動する複数の風向変更板の他に、これら風向板の奥側に補助風向板を設けた場合において、複数の風向変更板と補助風向板とを独立して回動させるためには複数のモータが必要であり、複数のモータが同一の面になるような配置にすると、これら複数のモータの収納空間が大きくなってしまう。
【０００４】
この発明は、互いにギアを介して連動する複数の風向変更板と、これら複数の風向変更板の奥側に位置する補助風向板とをそれぞれ別のモータで駆動する場合における、複数のモータの収納空間をコンパクトにできる空気調和機を提供するものである。
【０００５】
【課題を解決するための手段】
前記課題を解決するために、本発明は、吹出枠の吹出口付近に、互いにギアを介して連動する複数の風向変更板を配置するとともに、これら複数の風向変更板の奥側に位置して一つの補助風向変更板を配置する構成とし、前記複数の風向変更板を駆動する第１モータを前記吹出枠の側方に配置し、前記補助風向変更板を駆動するための第２モータを、前記第１モータの側方に並べて設け、前記補助風向板の軸と前記第２モータの軸とをそれらの軸とは別の駆動軸を介してつなげたことを特徴とする。
【０００６】
【０００７】
【０００８】
【作用】
本発明による空気調和機では、吹出枠の吹出口付近に、互いにギアを介して連動する複数の風向変更板を配置するとともに、これら複数の風向変更板の奥側に位置して一つの補助風向変更板を配置する構成とし、前記複数の風向変更板を駆動する第１モータを前記吹出枠の側方に配置し、前記補助風向変更板を駆動するための第２モータを、前記第１モータの側方に並べて設け、前記補助風向板の軸と前記第２モータの軸とをそれらの軸とは別の駆動軸を介してつなげた構成であるから、複数の風向変更板を駆動する第1モータと補助空気変更板を駆動する第２モータとが、同一平面に取付けられるのではなく、第２モータが、第１モータの側部端より側方の位置で、且つ、重なる位置となるため、第１モータと第２モータとの収納空間を、コンパクトにすることができる。しかも、第２モータと補助風向変更板とを別個の駆動軸でつなげたので、補助風向変更板の軸の寸法を長くする必要はない。
【０００９】
【００１０】
【００１１】
【実施例】
この発明の実施例を図面に基づき説明する。図１において、１は室内機で、室外機（図示せず）と冷媒管や信号線でつながれて分離型空気調和機を構成するものである。２は前面側パネル、３は背面側パネル、４は前面側パネルに回動自在に取付けられる吸込グリルで、吸込口４Ａが形成されている。５は吹出口で、この吹出口には風向変更板（横羽根）６が設けられている。３０は運転などの状態を示す表示部である。尚、吸込グリル４と前面側パネル２と、背面側パネル３とで外装体が形成されている。
【００１２】
図２において、７は伝熱管内部に冷媒が流される熱交換器で、略への字状に形成されている。８はこの熱交換器に室内空気を通過させ、吹出口から調温された空気を吹出すためのクロスフローファン、１０は比較的大きな埃を除去するためのエアフィルタで、吸込グリルが回動されて開かれると露出し、着脱可能となるものである。１１は比較的小さな埃や臭気を除去するための空気清浄フィルタ、１２は熱交換器からのドレンを受けるためのドレンパンである。尚、空気の吹出し方向を左右方向に変える縦羽根を備えているが、図示しない。
【００１３】
図３、図４において、２０は第１モータ、２１は第２モータで、この第２モータ２１は第１モータ２０の側端部より側方の位置であり、且つ、この第１モータ２０に重なるように配置されている。尚、これら第１及び第２モータ２０，２１は、表示部３０の背面側に位置している。前記第１モータ２０はギアを介して互いに連動する複数の風向変更板６，６のうち、下側の風向変更板６の軸６１につながれており、両風向変更板６，６は第３図の省略した部分（左側）でギアにより結合されており、両風向変更板６，６を連動して駆動することができるようになっている。補助風向変更板６Ａは前記複数の風向変更板６,６の奥側に配置されており、この補助風向変更板６Ａは駆動軸６５を介して第２モータ２１の軸につながれている。前記風向変更板６は、主に変更板６０と軸６１の部分とから構成されており、軸６１の部分の寸法は補助風向変更板６Ａの軸６１Ａとほぼ同じ寸法に設定されている。６２，６３はドレンパン１２に取付けられた断熱材、１９はドレンパンと一体に合成樹脂で形成された吹出枠である。
【００１４】
このように構成された空気調和機では、第２モータ２１が第１モータ２０と同一平面に取付けられるのではなく、第１モータ２０の側方で、かつ、この第１モータ２０に重なるように配置されているので、モータの上下方向の収納スペースをコンパクトにすることができる。このため、室内機の寸法を大きくすることがなく、空気調和機を小型化することができる。
【００１５】
また、この空気調和機では、駆動軸６５で補助風向変更板６Ａと第１モータ２１とをつないでいるので、補助風向変更板６Ａの軸６１Ａをそれほど長くする必要もないようになっている。軸がそれほど長くないので、この補助風向変更板６Ａを吹出枠１９に取付ける際に、湾曲させる量も従来の取付け時の湾曲量とほぼ同様であり、また補助風向変更板６Ａの軸６１Ａを吹出枠１９の挿入穴に挿入しやすいので、取付けを行いにくくなることを防止している。このため、補助風向変更６Ａの取付けは風向変更板６と同程度に容易である。空気調和機の組立ても容易である。
【００１６】
【発明の効果】
本発明による空気調和機では、吹出枠の吹出口付近に、互いにギアを介して連動する複数の風向変更板を配置するとともに、これら複数の風向変更板の奥側に位置して一つの補助風向変更板を配置する構成とし、前記複数の風向変更板を駆動する第１モータを前記吹出枠の側方に配置し、前記補助風向変更板を駆動するための第２モータを、前記第１モータの側方に並べて設け、前記補助風向板の軸と前記第２モータの軸とをそれらの軸とは別の駆動軸を介してつなげた構成としているので、複数の風向変更板を駆動する第１モータと補助風向変更板を駆動する第２モータとの収納空間を、コンパクトにすることができ、空気調和機を小型化することができる。しかも、補助風向板の軸と前記第２モータの軸とをつなげるための駆動軸を設けたことにより、補助風向変更板の軸を長くする必要がないため、この補助風向変更板をそれほど湾曲させることなく取付けることができ、空気調和機の組立てを容易にすることができる。
【００１７】
【００１８】
【図面の簡単な説明】
【図１】この発明の空気調和機の室内機を示す斜視図である。
【図２】同空気調和機の室内機を示す断面図である。
【図３】同空気調和機の室内機の吹出枠の側面図である。
【図４】同空気調和機の室内機の吹出枠の要部正面図である。
【符号の説明】
５            吹出口
６            風向変更板
６Ａ          補助風向変更板
１９          吹出枠
２０          第１モータ
２１          第２モータ
３０          表示部
６５ 駆動軸
【図１】
0003604751.tif 000002
【図２】
0003604751.tif 000003
【図３】
0003604751.tif 000004
【図４】
0003604751.tif 000005